(57)【要約】【課題】簡易な構成により板状物の大きさや数の変更に対応する調整が可能な板状物の収容治具を提供すること。【解決手段】板状物２を支持する支持ユニット１０と支持ユニット２０とを備え、支持ユニット１０及び支持ユニット２０は、それぞれ板状物２を載置する脚部１１，２１と、脚部１１，２１から立設して該板状物２を立て掛ける立て掛け部１２，２２と、を備え、支持ユニット２０の脚部２１は、支持ユニット１０の脚部１１の内側に挿し込まれる間隔に設定され、支持ユニット１０は、支持ユニット２０の脚部２１の浮き上がりを防止する脚おさえパイプ１７を更に備え、支持ユニット２０の脚部２１の一部を、支持ユニット１０の脚部１１の内側に設置するとともに、脚おさえパイプ１７の下に設置することで連結させることを特徴とする。【選択図】図１
2020011746.tif 000002
【特許請求の範囲】
【請求項１】
板状物の収容治具であって、
板状物を支持する第１の支持ユニットと第２の支持ユニットとを少なくとも備え、
該第１の支持ユニット及び該第２の支持ユニットは、板状物を載置する２つの脚部と、該脚部から立設して該板状物を立て掛けるもたれ部と、を備え、
該第１の支持ユニットの該脚部は、該第２の支持ユニットの該脚部の内側または外側に係合するような間隔に設定され、
少なくとも該第２の支持ユニットは、該第１の支持ユニットの該脚部の浮き上がりを防止する脚おさえ部を更に備え、
該第１の支持ユニットの該脚部の一部を、該第２の支持ユニットの該脚部の内側または外側に設置するとともに、該脚おさえ部の下に設置することで連結させることを特徴とする板状物の収容治具。
【請求項２】
該収容治具を台車に設置するために、該脚部には、台車の荷台面から立設するポールに嵌合する切り欠きを有する固定手段を設けたことを特徴とする、請求項１に記載の板状物の収容治具。
【発明の詳細な説明】
【技術分野】
【０００１】
本発明は、大きさの異なる板状物を支持するための板状物の収容治具に関する。
【背景技術】
【０００２】
一般に、保管倉庫には種々の物品が運搬されて保管される。この種の保管倉庫では、日常的に保管または運搬する物品の大きさや数が決まっている場合には専用の収容治具や搬送道具を備えている。例えば、ガラス板のように規定の大きさに形成される板状物では、該板状物の大きさに合わせた単位保管装置を複数並列に配置して構成された保管装置が知られている（例えば、特許文献１参照）。
【先行技術文献】
【特許文献】
【０００３】
【特許文献１】特開平０６−１１５５８４号公報
【発明の概要】
【発明が解決しようとする課題】
【０００４】
しかし、段ボールや装置の外装パネル等のような板状物では、保管及び運搬の頻度が一定でなく、また板状物の大きさも都度変わることがあるため、専用の収容治具や搬送道具を備えるのは非効率であり、これらの治具及び道具自体の保管にも場所を取る。
【０００５】
本発明は、かかる問題点に鑑みてなされたものであり、簡易な構成により板状物の大きさや数の変更に対応する調整が可能な板状物の収容治具を提供することである。
【課題を解決するための手段】
【０００６】
上述した課題を解決し、目的を達成するために、本発明に係る板状物の収容治具は、板状物を支持する第１の支持ユニットと第２の支持ユニットとを少なくとも備え、該第１の支持ユニット及び該第２の支持ユニットは、板状物を載置する２つの脚部と、該脚部から立設して該板状物を立て掛けるもたれ部と、を備え、該第１の支持ユニットの該脚部は、該第２の支持ユニットの該脚部の内側または外側に係合するような間隔に設定され、少なくとも該第２の支持ユニットは、該第１の支持ユニットの該脚部の浮き上がりを防止する脚おさえ部を更に備え、該第１の支持ユニットの該脚部の一部を、該第２の支持ユニットの該脚部の内側または外側に設置するとともに、該脚おさえ部の下に設置することで連結させることを特徴とするものである。
【０００７】
この構成によれば、第１の支持ユニットの脚部の一部を第２の支持ユニットの脚部の内側または外側に設置するとともに該脚おさえ部の下に挿し込むことにより、第１の支持ユニット及び第２の支持ユニットの転倒を防止できる。また、連結させる各支持ユニットの数、距離またはサイズを変更することにより、簡易な構成によって収容される板状物のサイズの変更に容易に対応することができる。各支持ユニットを使用しないときは、脚部同士を係合させておくことでコンパクトにまとめることができる。
【０００８】
この構成において、該収容治具を台車に設置するために、該脚部には、台車の荷台面から立設するポールに嵌合する切り欠きを有する固定手段を設けてもよい。この構成によれば、台車への固定手段を備え、この固定手段は切り欠きを介して台車に取り外し可能であるため、使用するときだけ台車の上に収納治具を設置することができる。
【発明の効果】
【０００９】
本発明によれば、第１の支持ユニットの脚部の一部を第２の支持ユニットの脚部の内側または外側に設置するとともに該脚おさえ部の下に挿し込むことにより、第１の支持ユニット及び第２の支持ユニットの転倒を防止できる。また、連結させる各支持ユニットの数、距離またはサイズを変更することにより、簡易な構成によって収容される板状物のサイズの変更に容易に対応することができる。
【図面の簡単な説明】
【００１０】
【図１】図１は、実施形態１に係る板状物の収容治具の一例を示す斜視図である。
【図２】図２は、台車に設置された収容治具及び板状物を示す側面図である。
【図３】図３は、図２の平面図である。
【図４】図４は、実施形態２に係る板状物の収容治具の一例を示す斜視図である。
【図５】図５は、支持ユニットの変形例を示す斜視図である。
【図６】図６は、支持ユニットの変形例を示す斜視図である。
【図７】図７は、支持ユニットの変形例を示す斜視図である。
【発明を実施するための形態】
【００１１】
本発明を実施するための形態（実施形態）につき、図面を参照しつつ詳細に説明する。以下の実施形態に記載した内容により本発明が限定されるものではない。また、以下に記載した構成要素には、当業者が容易に想定できるもの、実質的に同一のものが含まれる。さらに、以下に記載した構成は適宜組み合わせることが可能である。また、本発明の要旨を逸脱しない範囲で構成の種々の省略、置換又は変更を行うことができる。
【００１２】
［実施形態１］
実施形態１に係る板状物の収容治具について説明する。図１は、実施形態１に係る板状物の収容治具の一例を示す斜視図である。この図１において、収容治具の左右方向をＸ軸方向とし、左右方向に直交する収容治具の前後方向をＹ軸方向とし、さらに、左右方向及び前後方向に直交する収容治具の高さ方向をＺ軸方向とする。
【００１３】
収容治具１は、例えば、倉庫内に保管される板状物２を収容するための治具、または、台車に載せて運搬される板状物２を収容するための治具である。図１に示す収容治具１は、床面３に載置されると共に、前後方向に並べた複数台（図１では２台）の支持ユニット１０，２０を備え、これら支持ユニット１０，２０の間に板状物２が収容される。板状物２は、例えば、装置の外装パネルや段ボール（段ボール箱が畳まれた状態の１枚、またはこれらを複数枚束ねたもの）であり、厚み方向の長さが該厚み方向にそれぞれ直交する縦幅方向及び横幅方向に対して小さい板状に形成されたものをいう。通常、外装パネルは、装着される装置に応じて大きさが異なり、さらに、装着前に外装パネルに傷が付くのを防止するため、外装パネル同士を重ねた状態で保管したり、運搬することができないといった特性を有する。このため、収容治具１は、大きさが不定の板状物２を支持ユニット１０，２０にそれぞれ立て掛けて収容する。なお、本実施形態では、収容治具１は、２台の支持ユニット１０，２０を備えた構成としたが、２台以上の支持ユニットを備えた構成としてもよい。
【００１４】
前後方向の前方に位置する支持ユニット（第１の支持ユニット）２０は、前後方向に延びる左右一対（２つ）の脚部２１，２１と、これら脚部２１，２１に立設される立て掛け部（もたれ部）２２とを備える。また、前後方向の後方に位置する支持ユニット（第２の支持ユニット）１０は、支持ユニット２０と同様に、前後方向に延びる左右一対（２つ）の脚部１１，１１と、これら脚部１１，１１に立設される立て掛け部（もたれ部）１２とを備える。脚部１１，１１及び脚部２１，２１上には、それぞれ板状物２が載置されると共に、載置された板状物２は、立て掛け部１２及び立て掛け部２２に立て掛けられる。
【００１５】
本実施形態では、支持ユニット１０，２０は、それぞれ脚部１１，２１がパイプ（管状部材）で形成され、立て掛け部１２，２２がパイプと継手とで形成されている。脚部１１，２１は、それぞれ同径（同じ高さ）Ｈ１のパイプによって形成されている。また、支持ユニット２０の２つの脚部２１，２１の外寸法Ｌ２は、支持ユニット１０の２つの脚部１１，１１の内寸法Ｌ１より小さく形成されている。これにより、支持ユニット２０の２つの脚部２１，２１は、支持ユニット１０の２つの脚部１１，１１の内側に挿し込まれて、支持ユニット２０の２つの脚部２１，２１と支持ユニット１０の２つの脚部１１，１１とが係合する。また、支持ユニット２０の脚部２１，２１の外寸法Ｌ２と支持ユニット１０の脚部１１，１１の内寸法Ｌ１とを調整することにより、支持ユニット２０の２つの脚部２１，２１が、支持ユニット１０の２つの脚部１１，１１の内側に挿し込まれて相互に嵌合する構成としてもよい。また、これら脚部１１，２１の上面には、摩擦係数の高い樹脂材料（例えばウレタン、シリコンゴム、ポリウレタン、ポリスチレン等）で形成された滑り止めシート１８，２８がそれぞれ貼着されている。なお、滑り止めシート１８，２８に替えて、摩擦係数の高い樹脂材料を脚部１１，２１の上面に直接コーティングしてもよい。また、支持ユニット１０の少なくとも一方の脚部１１の一端（後端）にはフック（固定手段）１９が設けられている。このフック１９は、脚部１１，２１の端部に着脱自在に取り付けができる。フック１９は、弾性部材により環状に形成されており、一部に切り欠き１９Ａを備える。フック１９は、弾性変形することにより、例えば、床面３や台車の荷台面などから鉛直方向に延びるポール４に嵌合する。これにより、支持ユニット１０及び支持ユニット２０が外的な衝撃や運搬時の振動によって転倒することをより効果的に防止することができる。また、ポール４側に位置する支持ユニット１０は、フック１９を介して、ポール４に着脱自在に固定することができる。
【００１６】
また、支持ユニット１０の立て掛け部１２は、脚部１１の他端（前端）にそれぞれ連結される第１の継手１３と、この第１の継手１３に連結されて高さ方向に延びる鉛直パイプ１４と、この鉛直パイプ１４の上端に連結される第２の継手１５と、幅方向に延びてこれら第２の継手１５同士を連結する連結パイプ１６とを備える。立て掛け部１２の高さは、安定性を重視するならば、該立て掛け部１２に立て掛けられる板状物２の高さの少なくとも５０％以上が好ましい。また、支持ユニット１０は、幅方向に延びて上記した第１の継手１３同士を連結する脚おさえパイプ（脚おさえ部）１７を備える。この脚おさえパイプ１７は、床面３から高さＨ２の隙間をあけて配置されており、この脚おさえパイプ１７と床面３との間に設置された支持ユニット２０の脚部２１の浮き上がりを防止する。脚おさえパイプ１７の高さＨ２は、脚部２１の径（高さ）Ｈ１よりも大きく、かつ、立て掛け部１２の高さの１／３よりも小さく設定することが好ましい。
【００１７】
同様に、支持ユニット２０の立て掛け部２２は、脚部２１の端部（前端）にそれぞれ連結される第１の継手２３と、この第１の継手２３に連結されて高さ方向に延びる鉛直パイプ２４と、この鉛直パイプ２４の上端に連結される第２の継手２５と、幅方向に延びてこれら第２の継手２５同士を連結する連結パイプ２６とを備える。立て掛け部２２の高さは、支持ユニット１０の立て掛け部１２の高さと同等に形成してもよいし、脚部２１，２１間の距離に応じて変更してもよい。また、支持ユニット２０は、幅方向に延びて上記した第１の継手２３同士を連結する脚おさえパイプ（脚おさえ部）２７を備える。この脚おさえパイプ２７は、床面３から高さＨ２の隙間をあけて配置されており、この脚おさえパイプ２７と床面３との間に設置された支持ユニット（支持ユニット１０と反対側の支持ユニット）の脚部の浮き上がりを防止する。脚おさえパイプ２７の高さＨ２は、脚おさえパイプ１７と同様に脚部の径（高さ）Ｈ１よりも大きく、かつ、立て掛け部１２の高さの１／３よりも小さくよりも小さく設定される。
【００１８】
本実施形態では、支持ユニット２０の２つの脚部２１，２１の後端側（一部）を、支持ユニット１０の２つの脚部１１の内側に挿し込むと共に該支持ユニット１０の脚おさえパイプ１７と床面３との間に設置することにより、支持ユニット１０と支持ユニット２０とを前後方向に連結させることができる。このため、支持ユニット１０，２０の転倒を防止することができる。また、支持ユニット１０と支持ユニット２０との距離を変更する、もしくは、連結される支持ユニットの高さを所望のものに交換することにより、簡易な構成によって収容治具１に収容される板状物２のサイズの変更に容易に対応することができる。さらに、収容治具１を使用しない場合には、支持ユニット１０の脚おさえパイプ１７と支持ユニット２０の脚おさえパイプ２７とが接触するまで、脚部１１，２１同士を挿し込んでいくことにより、収容治具１をコンパクトにまとめることができる。
【００１９】
次に、上記した収容治具１を台車に設置して、板状物２を運搬する構成について説明する。図２は、台車に設置された収容治具及び板状物を示す側面図である。図３は、図２の平面図である。台車５０は、図２及び図３に示すように、矩形状に形成された天板５１と、この天板５１の後方に立設されたハンドル５２と、天板５１の４つの角部の底面に設置されたキャスタ５３とを備える。ハンドル５２は、天板５１の上面（荷台面）５１Ａの後方の２つの角部からそれぞれ鉛直方向に立設したポール５２Ａと、幅方向に延びて該ポール５２Ａ同士を連結するバー５２Ｂとを備え、作業員は、バー５２Ｂを掴んで台車５０の運行を操作する。また、これらポール５２Ａ間には、該ポール５２Ａ間を塞ぐ板材５４が取り付けられていても良い。
【００２０】
図２及び図３に示すように、台車５０の天板５１には、複数（４つ）の支持ユニット１０，２０，３０及び４０が前後方向に並んだ収容治具１が配置されている。本構成では、収容治具１は、４つの支持ユニット１０〜４０を備える構成としたが、少なくとも２つ以上備えていれば支持ユニットの数を適宜変更することができる。
【００２１】
支持ユニット１０，２０は、上記したものと同一の構成である。また、支持ユニット３０、４０は、支持ユニット１０，２０と同等の構成である。支持ユニット３０は、前後方向に延びる左右一対（２つ）の脚部３１，３１と、これら脚部３１，３１に立設される立て掛け部３２と、脚おさえパイプ（脚おさえ部）３７とを備える。同様に、支持ユニット４０は、前後方向に延びる左右一対（２つ）の脚部４１，４１と、これら脚部４１，４１に立設される立て掛け部４２と、脚おさえパイプ（脚おさえ部）４７とを備える。
【００２２】
本構成では、収容治具１は、台車５０の後方に配置された支持ユニット１０から前方に配置された支持ユニット４０に向けて段階的に脚部の間隔が狭くなっている。支持ユニット２０の２つの脚部２１，２１は、支持ユニット１０の２つの脚部１１，１１の内側に挿し込まれて相互に嵌合（係合）するような間隔に設定され、支持ユニット３０の２つの脚部３１，３１は、支持ユニット２０の２つの脚部２１，２１の内側に挿し込まれて相互に嵌合（係合）するような間隔に設定され、支持ユニット４０の２つの脚部４１，４１は、支持ユニット３０の２つの脚部３１，３１の内側に挿し込まれて相互に嵌合（係合）するような間隔に設定されている。
【００２３】
また、前方に配置された支持ユニットの脚部は、１つ後方に配置された支持ユニットの脚おさえパイプと天板との間に設置される。具体的には、支持ユニット４０の脚部４１は、支持ユニット３０の脚おさえパイプ３７と天板５１との間に設置され、支持ユニット３０の脚部３１は、支持ユニット２０の脚おさえパイプ２７と天板５１との間に設置され、支持ユニット２０の脚部２１は、支持ユニット１０の脚おさえパイプ１７と天板５１との間に設置される。さらに、支持ユニット１０の脚部１１の後端には上記したフック１９画取り付けられ、このフック１９は台車５０の天板５１の上面５１Ａから鉛直方向に延びるポール５２Ａに固定されている。このような構成により、支持ユニット１０〜４０を前後方向に連結させた状態で台車５０に固定することができ、該支持ユニット１０〜４０の転倒を防止することができる。
【００２４】
また、支持ユニット１０〜４０の各距離を変更することにより、隣接する支持ユニット間に収容される板状物２のサイズの変更に容易に対応することができる。このため、異なるサイズ（大きさ）の複数の板状物２を重ねることなく、台車５０に積載することができ、これら板状物２を容易に運搬することができる。この場合、支持ユニット１０〜４０の脚部１１〜４１は同径に形成されているため、例えば、支持ユニット２０に載せた板状物２は、支持ユニット２０の脚部２１，２１と、これら脚部２１，２１の内側に挿し込まれた支持ユニット３０の脚部３１，３１との上に載置される。これによれば、板状物２の重みによって、支持ユニット２０と支持ユニット３０とが前後方向に位置ずれすることが防止される。さらに、収容治具１は、支持ユニット１０が備えるフック１９を用いて台車５０のハンドル５２のポール５２Ａに取り外し可能としているため、収容治具１を使用するときだけ、該収容治具１を台車５０の上に設置することができる。
【００２５】
［実施形態２］
次に、実施形態２に係る板状物の収容治具について説明する。図４は、実施形態２に係る板状物の収容治具の一例を示す斜視図である。収容治具１０１は、前後方向に並べた複数台（図４では２台）の支持ユニット１０Ａ，２０Ａを備え、これら支持ユニット１０Ａ，２０Ａの間に板状物（不図示）が収容される。実施形態１と同一の構成については、同一の符号を付して説明を省略する。実施形態１では、前方の支持ユニット２０の２つの脚部２１，２１は、後方の支持ユニット１０の２つの脚部１１，１１の内側に挿し込まれる構成としたが、実施形態２では、前方の支持ユニット（第１の支持ユニット）２０Ａの２つの脚部２１，２１は、後方の支持ユニット（第２の支持ユニット）１０Ａの２つの脚部１１，１１の外側に挿し込み可能に構成されている。
【００２６】
支持ユニット２０Ａの２つの脚部２１，２１の内寸法Ｌ２Ａは、支持ユニット１０Ａの２つの脚部１１，１１の外寸法Ｌ１Ａより大きく形成されている。これにより、支持ユニット２０Ａの２つの脚部２１，２１は、支持ユニット１０Ａの２つの脚部１１，１１の外側に挿し込まれて、支持ユニット２０Ａの２つの脚部２１，２１と支持ユニット１０Ａの２つの脚部１１，１１とが係合する。また、支持ユニット２０Ａの脚部２１，２１の内寸法Ｌ２Ａと支持ユニット１０Ａの脚部１１，１１の外寸法Ｌ１Ａとを調整することにより、支持ユニット２０Ａの２つの脚部２１，２１が、支持ユニット１０Ａの２つの脚部１１，１１の外側に挿し込まれて相互に嵌合する構成としてもよい。また、図示は省略したが、支持ユニット１０Ａの少なくとも一方の脚部１１の一端（後端）には上記したフック（固定手段；図１参照）が設けられている。
【００２７】
また、支持ユニット１０Ａは、幅方向に延びて第１の継手１３Ａ同士を連結する脚おさえパイプ（脚おさえ部）１７と、第１の継手１３Ａからそれぞれ幅方向外側に延びる外側脚おさえパイプ（脚おさえ部）１１７とを備える。外側脚おさえパイプ１１７は、脚おさえパイプ１７の延長線上に設けられ、いずれも床面３から高さＨ２の隙間をあけて配置されている。実施形態２では、支持ユニット２０Ａの脚部２１は、外側脚おさえパイプ１１７と床面３との間に設置されることにより、支持ユニット２０Ａの脚部２１の浮き上がりを防止する。
【００２８】
同様に、支持ユニット２０Ａは、幅方向に延びて第１の継手２３Ａ同士を連結する脚おさえパイプ（脚おさえ部）２７と、第１の継手２３Ａからそれぞれ幅方向外側に延びる外側脚おさえパイプ（脚おさえ部）１２７とを備える。外側脚おさえパイプ１２７は、脚おさえパイプ２７の延長線上に設けられ、いずれも床面３から高さＨ２の隙間をあけて配置されている。この脚おさえパイプ１２７は、床面３から高さＨ２の隙間をあけて配置されており、この脚おさえパイプ１２７と床面３との間に設置された支持ユニット（支持ユニット２０Ａよりも更に前方に配置された支持ユニット）の脚部の浮き上がりを防止する。
【００２９】
本実施形態では、支持ユニット２０Ａの２つの脚部２１，２１の後端側（一部）を、支持ユニット１０Ａの２つの脚部１１の外側に挿し込むと共に該支持ユニット１０Ａの外側脚おさえパイプ１１７と床面３との間に設置することにより、例えば、前方の支持ユニットから後方の支持ユニット向けて段階的に脚部の間隔が狭くすることができる。なお、支持ユニット１０Ａは、少なくとも脚おさえパイプ１７及び外側脚おさえパイプ１１７のどちらかを備えていればよい。同様に、支持ユニット２０Ａは、少なくとも脚おさえパイプ２７及び外側脚おさえパイプ１２７のどちらかを備えていればよい。
【００３０】
次に実施形態１の変形例について説明する。図５〜図７は支持ユニットの変形例を示す斜視図である。この変形例では、それぞれ前方の支持ユニット（第１の支持ユニット）２０Ｂ〜２０Ｄとして説明するが、同様の構成を後方の支持ユニット（第２の支持ユニット）に用いることもできる。上記した実施形態と同様の構成については、同一の符号を付して説明を省略する。
【００３１】
上記した支持ユニット２０では、脚おさえパイプ２７及び立て掛け部２２は、前後方向における脚部２１の一端（前端）とほぼ同じ位置に設けていたが、支持ユニット２０Ｂでは、図５に示すように、脚おさえパイプ２７及び立て掛け部２２は、前後方向に延びる脚部２１の中間部に設けられている。具体的には、第１の継手２３Ｂは、前後方向に２つの脚部２１，２１を取り付け可能に構成されているため、これら脚部２１，２１の中間に脚おさえパイプ２７及び立て掛け部２２を設けることができる。この構成によれば、脚おさえパイプ２７及び立て掛け部２２を、前後方向の両側に位置する脚部２１，２１で支えることができるため、図１及び図４に示す実施形態に比べてより効果的に支持ユニット２０Ｂの転倒を抑制できる。
【００３２】
また、上記した支持ユニット２０では、脚おさえパイプ２７及び立て掛け部２２は、パイプと継手とで構成されていたが、支持ユニット２０Ｃは、図６に示すように、立て掛け部２２Ｃが板材によって形成されている。この立て掛け部２２Ｃは、脚部２１，２１にそれぞれ接着や溶接などの手段によって接続されている。立て掛け部２２Ｃの下縁部２７Ｃは、床面３から高さＨ２の隙間をあけて切り欠かれており、この下縁部２７Ｃが脚おさえ部として機能する。この構成によれば、板材とパイプとによって簡単に支持ユニット２０Ｃを形成することができる。
【００３３】
さらに、支持ユニット２０Ｄは、板材で形成された立て掛け部２２Ｄの中央部に開口２９Ｄを設けている。また、立て掛け部２２Ｄは、脚部２１の前後方向の中間部に固定されている。この構成によれば、支持ユニット２０Ｄの軽量化及び転倒の抑制を図ることができる。
【符号の説明】
【００３４】
１、１０１  収容治具
２  板状物
３  床面
４  ポール
１０、１０Ａ  支持ユニット（第２の支持ユニット）
１１  脚部
１２  立て掛け部（もたれ部）
１３、１３Ａ  第１の継手
１４  鉛直パイプ
１５  第２の継手
１６  連結パイプ
１７  脚おさえパイプ（脚おさえ部）
１９  フック（固定手段）
２０、２０Ａ、２０Ｂ、２０Ｃ、２０Ｄ  支持ユニット（第１の支持ユニット）
２１  脚部
２２、２２Ｃ、２２Ｄ  立て掛け部（もたれ部）
２３、２３Ａ、２３Ｂ  第１の継手
２４  鉛直パイプ
２５  第２の継手
２６  連結パイプ
２７  脚おさえパイプ（脚おさえ部）
２７Ｃ  下縁部（脚おさえ部）
３０、４０  支持ユニット
３１、４１  脚部
３２  立て掛け部（もたれ部）
３７、４７  脚おさえパイプ（脚おさえ部）
５０  台車
５１    天板
５１Ａ  上面（荷台面）
５２Ａ  ポール
５３  キャスタ
１１７  外側脚おさえパイプ（脚おさえ部）
１２７  外側脚おさえパイプ（脚おさえ部）
【図１】
2020011746.tif 000003
【図２】
2020011746.tif 000004
【図３】
2020011746.tif 000005
【図４】
2020011746.tif 000006
【図５】
2020011746.tif 000007
【図６】
2020011746.tif 000008
【図７】
2020011746.tif 000009